(57)【要約】  太陽グレア軽減具は、右テンプル部分と、右テンプル部分に接続された右レンズ保持部分と、左テンプル部分と、左テンプル部分に接続された左レンズ保持部分と、右レンズ保持部分と左レンズ保持部分とを接続するノーズブリッジ部分と、を有するフレームを含む。右レンズが、右レンズ保持部分によって保持されている。右レンズは、右テンプル部分とノーズブリッジとの間に配置された右本体と、右レンズ保持部分の下方の右本体から下向きに延在する右グレア軽減部分と、を有する。左レンズが、左レンズ保持部分によって保持されている。左レンズは、左テンプル部分とノーズブリッジとの間に配置された左本体と、左レンズ保持部分の下方の左本体から下向きに延在する左グレア軽減部分と、を有する。【選択図】図１
2020531928.tif 000002
【特許請求の範囲】
【請求項１】
太陽グレア軽減具であって、
右テンプル部分、
前記右テンプル部分に接続された右レンズ保持部分、
左テンプル部分、
前記左テンプル部分に接続された左レンズ保持部分、及び
前記右レンズ保持部分と前記左レンズ保持部分とを接続するノーズブリッジ部分を有するフレームと、
前記右レンズ保持部分によって保持された右レンズであって、
前記右テンプル部分と前記ノーズブリッジとの間に配置された右本体、及び
前記右レンズ保持部分の下方の前記右本体から下向きに延在する右グレア軽減部分を有する右レンズと、
前記左レンズ保持部分によって保持された左レンズであって、
前記左テンプル部分と前記ノーズブリッジとの間に配置された左本体、及び
前記左レンズ保持部分の下方の前記左本体から下向きに延在する左グレア軽減部分を有する左レンズと、を備える太陽グレア軽減具。
【請求項２】
前記右レンズは、前記右本体と前記右グレア軽減部分とを接続する外向きに延在する右凹状部分をさらに備える、請求項１に記載の太陽グレア軽減具。
【請求項３】
前記左レンズは、前記左本体と前記左グレア軽減部分とを接続する外向きに延在する左凹状部分をさらに備える、請求項１に記載の太陽グレア軽減具。
【請求項４】
前記左右のグレア軽減部分の各々は、前記左右のグレア軽減部分の各々から斜めに延在する少なくとも１つの羽根板をさらに備える、請求項１に記載の太陽グレア軽減具。
【請求項５】
前記右グレア軽減部分は、前記右本体に取り外し可能に接続される、請求項１に記載の太陽グレア軽減具。
【請求項６】
前記右グレア軽減部分は、前記フレームに取り外し可能に接続される、請求項１に記載の太陽グレア軽減具。
【請求項７】
太陽グレア軽減具であって、
右テンプル部分、及び
左テンプル部分を有するフレームと、
前記右テンプル部分と前記左テンプル部分との間に延在し、かつそれらに接続されているレンズアセンブリと、を備え、前記レンズアセンブリは、
前記右テンプル部分に近接して配置された右レンズと、
前記右レンズから下向きに延在する右グレア軽減部分と、
前記左テンプル部分に近接して配置された左レンズと、
前記左レンズから下向き延在する左グレア軽減部分と、及び
前記右レンズと前記左レンズとを接続するノーズブリッジと、を有する、太陽グレア軽減具。
【請求項８】
前記右レンズと前記右グレア軽減部分とを接続する凹状部分をさらに備える、請求項７に記載の太陽グレア軽減具。
【請求項９】
前記左右のグレア軽減部分は、各々が、前記太陽グレア軽減具の残りの部分に取り外し可能に取り付けられる、請求項７に記載の太陽グレア軽減具。
【請求項１０】
前記残りの部分は、前記フレームを含む、請求項７に記載の太陽グレア軽減具。
【請求項１１】
前記残りの部分は、前記右レンズ及び前記左レンズを含む、請求項７に記載の太陽グレア軽減具。
【請求項１２】
前記右グレア軽減部分と前記左グレア軽減部分とを接続する接続部分をさらに備える、請求項７に記載の太陽グレア軽減具。
【発明の詳細な説明】
【技術分野】
【０００１】
[0002]  本発明は、太陽グレアを軽減するために、ユーザの眼の周りに適用される日光軽減材料に関する。
【背景技術】
【０００２】
[0004]  アイブラックは、日光を軽減し、太陽グレアを軽減するために、スポーツ選手が眼の下に使用することが多い。アイブラックは、眼の下の皮膚に直接塗布される、口紅に質感が類似したろう様物質である。アイブラックは、それを皮膚から完全に取り去るために、激しく洗い落とさなくてはならない。皮膚に塗布されず、着用者によって容易かつ迅速に取り去ることができる、アイブラックの利点を提供する製品を提供することは有益であろう。
【０００３】
[0005]  また、スポーツ選手でない人々が、運転するとき、海岸にいるとき、又は他のそのような状況など、太陽グレア軽減が有益であるときに、肌に直接に着用する必要なしに、アイブラックから利益を得られることは有益であろう。
【発明の概要】
【０００４】
[0006]  本要約は、詳細な説明で以下にさらに説明される抜粋概念を、簡略化された形態で紹介するために提供される。本要約は、特許請求される主題の重要な特徴又は本質的な特徴を特定することを意図するものではなく、特許請求される主題の範囲を制限するために使用されることを意図するものでもない。
【０００５】
[0007]  一実施形態では、本発明は、右テンプル部分と、右テンプル部分に接続された右レンズ保持部分と、左テンプル部分と、左テンプル部分に接続された左レンズ保持部分と、右レンズ保持部分と左レンズ保持部分とを接続するノーズブリッジ部分と、を有するフレームを含む太陽グレア軽減具である。右レンズは、右レンズ保持部分によって保持されている。右レンズは、右テンプル部分とノーズブリッジとの間に配置された右本体と、右レンズ保持部分の下方の右本体から下向き延在する右グレア軽減部分と、を有する。左レンズは、左レンズ保持部分によって保持されている。左レンズは、左テンプル部分とノーズブリッジとの間に配置された左本体と、左レンズ保持部分の下方の左本体から下向きに延在する左グレア軽減部分と、を有する。
【０００６】
[0008]  別の実施形態では、本発明は、右テンプル部分及び左テンプル部分を有するフレームを備える太陽グレア軽減具である。レンズアセンブリが、右テンプル部分と左テンプル部分との間に延在し、かつそれらに接続されている。レンズアセンブリは、右テンプル部分に近接して配置された右レンズと、右レンズから下向きに延在する右グレア軽減部分と、を有する。同様に、左レンズが、左テンプル部分に近接して配置され、左グレア軽減部分が左レンズから下向きに延在する。ノーズブリッジが、右レンズと左レンズとを接続している。
【０００７】
[0009]  本明細書に組み込まれ、本明細書の一部を構成する添付の図面は、本発明の例示的実施形態を示し、上で与えられた概要説明及び以下に与えられる詳細説明とともに、本発明の特徴を説明するのに役立つ。
【図面の簡単な説明】
【０００８】
【図１】本発明の第１の例示的実施形態に従うグレア軽減具を備えた眼鏡の斜視図である。
【図２】図１の線２−２に沿った、図１に示した眼鏡の断面図である。
【図３】本発明の第２の例示的実施形態に従うグレア軽減具を備えた眼鏡の斜視図である。
【図４】図３の線４−４に沿った、図３に示す眼鏡の断面図である。
【図５】本発明の第３の例示的実施形態に従うグレア軽減具を備えた眼鏡の分解斜視図である。
【図５Ａ】図５に示したグレア軽減具を備えた眼鏡の組み立て後斜視図である。
【図６】本発明の第４の例示的実施形態に従うグレア軽減具を備えた眼鏡の分解斜視図である。
【図６Ａ】図６に示したグレア軽減具を備えた眼鏡の組み立て後斜視図である。
【図７】本発明の第５の例示的実施形態に従うグレア軽減具を備えた眼鏡の分解斜視図である。
【図７Ａ】図７に示したグレア軽減具を備えた眼鏡の組み立て後斜視図である。
【発明を実施するための形態】
【０００９】
[0020]  図面において、同様の数字は全体を通して同様の要素を示す。便宜上、特定の用語が本明細書で使用されるが、本発明を限定するものとして解釈されるべきではない。用語は、具体的に言及された語、その派生語、及び同様に重要な語を含む。以下に示す実施形態は、網羅的であることも、本発明をまさに開示された形態に限定することも、意図されていない。これらの実施形態は、本発明の原理ならびにその応用及び実際の使用を最もよく説明し、当業者が本発明を最もよく利用できるように選択され、かつ説明される。
【００１０】
[0021]  本明細書で「１つの実施形態」又は「一実施形態」と言う場合、当該実施形態に関連して説明された特定の特徴、構造、又は特性が、本発明の少なくとも１つの実施形態に含まれ得ることを意味する。本明細書中のさまざまな箇所における「１つの実施形態では」という語句の出現は、必ずしもすべてが同じ実施形態を参照するものではないし、必然的に他の実施形態とは互いに排他的な別個の又は代替の実施形態でもない。用語「実施」についても同様である。
【００１１】
[0022]  本出願で使用されるとき、用語「例示的」は、本明細書では、例、事例、又は実例として役立つことを意味するために使用される。「例示的」として本明細書に記載された任意の態様又は設計は、必ずしも、他の態様又は設計よりも好ましい又は有利であると解釈されるべきではない。むしろ、例示的なる語の使用は、概念を具体的に提示することを意図している。
【００１２】
[0023]  さらに、用語「又は」は、排他的な「又は」よりもむしろ包括的な「又は」を意味することが意図される。すなわち、別様に指定されない限り、又は文脈から明らかでない限り、「ＸはＡ又はＢを使用する」は、自然包括的順列のいずれかを意味することを意図している。すなわち、ＸはＡを使用する、ＸはＢを使用する、又はＸはＡ及びＢの両方を使用する場合、これらの事例のいずれかのもとに「ＸはＡ又はＢを使用する」が満足される。さらに、本出願及び添付の特許請求の範囲で使用される冠詞「ａ」及び「ａｎ」は、別様に指定されない限り、又は文脈から単数形を対象とすることが明確でない限り、通常は「１つ以上」を意味すると解釈されるべきである。
【００１３】
[0024]  明示的に別様に記載されていない限り、各数値及び範囲は、語「約」又は「およそ」が数値又は範囲の値に先行するかのような近似であると解釈されるべきである。
【００１４】
[0025]  特許請求の範囲における図面番号及び／又は図形参照ラベルの使用は、特許請求の範囲の解釈を容易にするために、特許請求される主題の１つ以上の考え得る実施形態を識別することを意図している。そのような使用は、必ずしもそれらの特許請求の範囲を対応する図に示される実施形態に限定するものと解釈されるべきではない。
【００１５】
[0026]  異なる実施形態間の相違は、明示的にそれとは反対に記載されていない場合には、すべての実施形態に適用可能であると解釈される。
【００１６】
[0027]  図面を参照すると、本発明は、太陽グレアを軽減するために使用される。本発明は、ユーザに容易に適用可能であり、容易に取り外し可能であり、ユーザの眼の下の皮膚に直接塗布される従来のアイブラックを取り去るのに必要な労力はいらない。
【００１７】
[0028]  特に図１〜図２を参照すると、本発明の第１の例示的実施形態に従う太陽グレア軽減具１００が示されている。太陽グレア軽減具１００は、通常の眼鏡に類似しているが、ユーザが着用すると、眼の高さよりも下に太陽グレア軽減部分を含む。
【００１８】
[0029]  太陽グレア軽減具１００は、右テンプル部分１１０と、左テンプル部分１２０と、右テンプル部分１１０と左テンプル部分１２０との間に延在するノーズブリッジ部分１３０と、を有するフレーム１０２を含む。
【００１９】
[0030]  右テンプル部分１１０は、フレーム１０２から延在し、第１の端部１１４及び第２の端部１１５を有する細長い部材１１２を含む。第１の端部１１４は、ユーザの右耳４２の周りに適合するサイズ及び形状とされた湾曲部分１１６を終端とする。右テンプル部分１１０と同様に、左テンプル部分１２０は、第１の端部１２４及び第２の端部１２５を有する細長い部材１２２を含む。第１の端部１２４は、ユーザの左耳４４の周りに適合するサイズ及び形状とされた湾曲部分１２６を終端とする。
【００２０】
[0031]  フレーム１０２は、右テンプル部分１１０に接続された右レンズ保持部分１１８も含む。右テンプル部分１１０は、右レンズ保持部分１１８に蝶番式に接続することができ、あるいは、右テンプル部分１１０は、右レンズ保持部分１１８から約９０度の角度で固定的に延在することができる。同様に、フレーム１０２は、左テンプル部分１２０に接続された左レンズ保持部分１２８も含む。左テンプル部分１２０は、左レンズ保持部分１２８に蝶番式に接続することができ、あるいは、左テンプル部分１２０は、左レンズ保持部分１２８から約９０度の角度で固定的に延在することができる。
【００２１】
[0032]  ノーズブリッジ部分１３０は、右レンズ保持部分１１８と左レンズ保持部分１２８とを接続している。右レンズ１１９が右レンズ保持部分１１８によって保持され、左レンズ１２９が左レンズ保持部分１２８によって保持されている。一例示的実施形態では、図１に示すように、左右のレンズ保持部分１１８、１２８の各々は、それぞれのレンズ１１９、１２９の上部外周に沿ってのみ延在している。しかしながら、当業者は、左右のレンズ保持部分１１８、１２８は、ノーズブリッジ部分１３０が右レンズ保持部分１１８と左レンズ保持部分１２８とを接続できるように、完全に全外周の周りに、又は底部外周の周りにのみ延在できることを認識するであろう。
【００２２】
[0033]  右レンズ１１９は、右テンプル部分１１８とノーズブリッジ１３０との間に配置された右本体１４０を有する。右レンズ１１９は、右レンズ保持部分１１９の下方の右本体１４０から下向きに延在する右グレア軽減部分１４２も有する。右グレア軽減部分１４２は、右本体１４０と一体的に接続することができる。あるいは、右グレア軽減部分１４２は、右レンズ保持部分１１８が右グレア軽減部分１４２を右本体１４０から分離するように、右本体１４０とは別体であってもよい。
【００２３】
[0034]  同様に、左レンズ１２９は、左テンプル部分１２８とノーズブリッジ１３０との間に配置された左本体１５０を有する。左レンズ１２９は、レンズ保持部分１２９の下方の左本体１５０から左下向きに延在する左グレア軽減部分１５２も有する。左グレア軽減部分１５２は、左本体１５０と一体的に接続することができる。あるいは、左グレア軽減部分１５２は、左レンズ保持部分１２８が左グレア軽減部分１５２を左本体１５０から分離するように、左本体１５０とは別体であってもよい。
【００２４】
[0035]  本体１４０、１５０の各々は、視力を矯正する意図はなく、レンズ１１９、１２９は装飾目的のためにのみ含まれるように（着用者の眼から離れた）概ね平坦な外面を有することができる。あるいは、本体１４０、１５０の各々は、少なくともある程度の視力矯正を提供するために、凸状外面を有することができる。
【００２５】
[0036]  左右のグレア軽減部分１４２、１５２がそれぞれの本体１４０、１５０と一体的に接続されている場合には、右レンズ１１９及び左レンズ１２９の各々は、右本体１４０、１５０と左右それぞれのグレア軽減部分１４２、１５２とをそれぞれ接続する外向き延在凹状部分１４４、１５４をさらに備える。
【００２６】
[0037]  任意選択で、左右のグレア軽減部分１４２、１５２の各々は、それぞれの本体１４０、１５０に取り外し可能に接続される。接続は、磁気、マジックテープ、留め金、又は他の適切な接続手段とすることができる。また、左右のグレア軽減部分１４２、１５２がフレーム１０２に接続されている場合には、左右のグレア軽減部分１４２、１５２をフレーム１０２に取り外し可能に接続することができる。
【００２７】
[0038]  任意選択で、左右のグレア軽減部分１４２、１５２のうちのいずれか一方又は両方は、その上に印刷された証印１６８を含むことができる。証印１６８は、語及び／又は図柄を含むことができる。例えば、証印１６８は、スポーツチームの名称及び／又はロゴとすることができる。このような証印は、屋外のスポーツイベントに出席している最中に、好みのスポーツ選手を模倣することを所望するスポーツファンに魅力的な太陽グレア軽減具１００を作製する。
【００２８】
[0039]  さらに、太陽グレア軽減具１００は着色することができる。一例示的実施形態では、最大量の日光を軽減し、ユーザの眼５６、５８へのグレアを軽減するために、太陽グレア軽減具１００全体を、例えば黒色のような単色とすることができる。あるいは、太陽グレア軽減具１００は、例えばスポーツチームカラーなど、異なる色又は複数の色とすることができる。証印１３８と同様に、スポーツチームカラーの太陽グレア軽減具１００を提供することにより、チームカラーを示すことを所望するスポーツファンに魅力的な太陽グレア軽減具１００が作製される。
【００２９】
[0040]  図３〜図４に示す別の実施形態では、太陽グレア軽減具２００が示されている。太陽グレア軽減具２００は、右テンプル部分２１０と左テンプル部分２２０との間に延在しかつそれらに接続されているレンズアセンブリ２３０を備えた「フレームレス」である。
【００３０】
[0041]  レンズアセンブリ２３０は、右テンプル部分２１０に近接して配置された右レンズ部分２４０と、右レンズ部分２４０から下向きに延在する右グレア軽減部分２４２と、を有する。同様に、左レンズ２５０が、左テンプル部分２２０に近接して配置され、左グレア軽減部分２５２が、左レンズ部分２５０から下向きに延在する。
【００３１】
[0042]  ノーズブリッジ部分２６０が、右レンズ部分２４０と左レンズ部分２５０とを接続している。ノーズブリッジ部分２６０は、レンズ材料から構成することができ、あるいは、ノーズブリッジ部分２６０は、他の適切な材料から構成することができる。
【００３２】
[0043]  図４に示すように、凹状部分２４４が、右レンズ部２４０と右グレア軽減部分２４２とを接続している。同様に、凹状部分２５４が、左レンズ部２５０と左グレア軽減部分２５２とを接続している。
【００３３】
[0044]  さらに、左右のグレア軽減部分２４２、２５４の各々は、左右のグレア軽減部分２４２、２５２の各々から斜めに延在する少なくとも１つの羽根板２６０をさらに備える。３つの羽根板２６０が、左右のグレア軽減部分２４２、２５２の各々から延在しているが、当業者は、３つよりも多い又は少ない羽根板２６０を使用できることを認識するであろう。羽根板２６０は、グレア軽減部分２４２、２５２から反射され得る光を捕捉することにより、ユーザへのグレアをさらに軽減する。
【００３４】
[0045]  図１〜図４を参照すると、凹状部分１４４、１５４、２４４、２５４は、典型的には、矯正用眼鏡は凸状外面を有するレンズを使用して、ユーザのために像を合焦させ、装飾用眼鏡は、概ね平坦な外面を有するレンズを使用して、ユーザのために画像を歪ませないようにすることにおいて、独特であるとみられる。凹状部分１４４、１５４、２４４、２５４は、ユーザの眼の高さよりも下に位置し、ユーザのために画像を歪ませないようにする。凹状部分１４４、１５４、２４４、２５４は、スムーズな移行接続部として作用し、グレア軽減部分１４２、１５２、２４２、２５２を、ユーザの顔から離れるような角度に曲げる。
【００３５】
[0046]  図５及び図６に示す別の実施形態では、太陽グレア軽減具３００のアセンブリが、眼鏡５０に取り外し可能に取り付け可能である。眼鏡５０は、眼鏡５０が太陽グレア軽減具３００を受容かつ保持することを可能とする少なくともいくつかの嵌合接続部を有する。嵌合接続部は、磁気、マジックテープ、留め金、又は他の適切な接続手段とすることができる。
【００３６】
[0047]  図５に示す一実施形態では、眼鏡５０は、レンズ６０、６２を有する眼鏡の上部に沿ったフレーム５１を有するのみである。太陽グレア軽減具３００は、右グレア軽減部３１０と、左グレア軽減部３１２と、接続片３２０と、を備える。接続片３２０は、右部分３２２と、左部分３２４と、右部分３２２と左部分３２４とを接続する弧状ノーズブリッジ部分３２６とを含む。ノーズブリッジ部分３２６は、フレーム５１の対応する取り付け部分５３に取り外し可能に接続する取り付け接続部３２８を含む。
【００３７】
[0048]  接続片３２０は、フレーム５１に到達するのに十分な長さであり、眼鏡５０の長さに沿って下向き延在して、太陽グレア軽減具３００は、眼鏡５０上のレンズ６０、６２の延長部のように見える。
【００３８】
[0049]  図６及び図６Ａに示す一実施形態では、眼鏡７０は、レンズ６０、６２の周囲に延在するフレーム７１を有する。太陽グレア軽減具３００’は、右グレア軽減部３１０と、左グレア軽減部３１２と、接続片３２０よりも短い接続片３２０’と、を備える。接続片３２０’は、右グレア軽減部３１０と左グレア軽減部３１２とを接続する弧状ノーズブリッジ部分３２６’を含む。接続片３２０’は、フレーム接続点７４、７６においてフレーム７１の底部に接続部分３２８、３３０を介して取り外し可能に接続され、太陽グレア軽減具３００’は、眼鏡７０上のレンズ６０、６２の延長部のように見える。
【００３９】
[0050]  図７及び図７Ａに示す一実施形態では、接続片３２０を有する代わりに、太陽グレア軽減具キット４００は単に、別個の右グレア軽減部４１０及び左グレア軽減部４１２を含む。右グレア軽減部４１０及び左グレア軽減部４１２の各々の少なくとも上部部分は、（図５〜図７Ａに示す）眼鏡５０、５０’又は７０のいずれかに接続するための接続手段４１４、４１６の一方の部品を含み、眼鏡５０、５０’、７０の下部は、接続手段の他方の部品を有する。
【００４０】
[0051]  図５〜図７Ａに示した実施形態のいずれにおいても、太陽グレア軽減具１００〜４００の一部分は磁化されるか又は磁気的に引き付けられ、眼鏡５０、５０’、７０の対応する部分は、磁化されるか又は磁気的に引き付けられるかのうちの他方であり、太陽グレア軽減具１００〜４００が眼鏡５０、５０’、７０対して配置されると、太陽グレア軽減具１００〜４００は眼鏡５０、５０’、７０に磁気的に引き付けられる。
【００４１】
[0052]  当業者は、接続手段がマジックテープ、留め金、又は他の接続手段である場合、接続手段の一方の部品が太陽グレア軽減具１００〜４００上に配置され、相補的部品が眼鏡５０、５０’、７０上にあることを認識するであろう。
【００４２】
[0053]  本発明に従う太陽グレア軽減具１００〜４００のすべてにおいて、太陽グレア軽減素子は、単一層状の光軽減材料とすることができる。あるいは、太陽グレア軽減素子は、基板に組み込まれた光軽減材料を組み込むことができる。ただの例として、光軽減材料は、基板に埋め込まれたコンクリートダストであり得るが、当業者は、他の光吸収材料を使用できることを認識するであろう。
【００４３】
[0054]  さらに、太陽グレア軽減素子は、通常のサングラスで使用されるようなレンズであってもよく、その場合、眼鏡の輪郭は、太陽光を眼から遠ざける助けとなる。太陽グレア軽減素子は、従来のサングラス部分に使用されるレンズよりも色の濃い通常のレンズであってもよい。例えば、レンズがおしゃれ目的のために青色又は赤色であり得るサングラスにおいては、太陽グレア軽減素子上のレンズ部分は、日光を眼から遠ざけるように、黒色又は少なくともより暗い色調とすることができる。
【００４４】
[0055]  本発明の特質を説明するために説明及び図示された部品の詳細、材料、及び配置におけるさまざまな変更が、以下の特許請求の範囲で表される本発明の範囲から逸脱することなく、当業者によってなされ得ることがさらに理解されるであろう。
【図１】
2020531928.tif 000003
【図２】
2020531928.tif 000004
【図３】
2020531928.tif 000005
【図４】
2020531928.tif 000006
【図５】
2020531928.tif 000007
【図５Ａ】
2020531928.tif 000008
【図６】
2020531928.tif 000009
【図６Ａ】
2020531928.tif 000010
【図７】
2020531928.tif 000011
【図７Ａ】
2020531928.tif 000012
【国際調査報告】
2020531928.tif 000013
2020531928.tif 000014
2020531928.tif 000015